(57)【特許請求の範囲】
【請求項１】
注出口を設けた底壁と、底壁の周縁に立設された注出筒と、注出筒内周に挿入される密封リングを設けた上蓋とを具備した注出キャップにおいて、
注出筒の内周の上蓋開閉時に密封リングと干渉しない注出方向上端部に、内容液の流れを案内する少なくとも二つの案内突部が設けられていることを特徴とする注出キャップ。
【請求項２】
少なくとも二つの案内突部が、注出方向に対して先端に向かって距離が近づくハの字状に形成されていることを特徴とする請求項１記載の注出キャップ。
【請求項３】
少なくとも二つの案内突部の外側に、該案内突部に平行に形成された二つの案内突部が配設されていることを特徴とする請求項２記載の注出キャップ。
【請求項４】
注出筒の内周の注出方向に、注出キャップの注出口の幅を隔てて少なくとも二つの案内リブが上蓋開閉時に密封リングと干渉しないように閉蓋時に密封リングの下端より下方位置に配設されていることを特徴とする請求項１〜３のいずれかに記載の注出キャップ。
【請求項５】
少なくとも二つの案内突部の間の注出筒内周の注出方向上端部に、左右から中央に向かい傾斜するように凹設された案内凹部が形成されていることを特徴とする請求項１〜４のいずれかに記載の注出キャップ。
【請求項６】
少なくとも二つの案内突部の間の注出筒内周の注出方向上端縁に、案内切欠部が形成されていることを特徴とする請求項１〜４のいずれかに記載の注出キャップ。
【請求項７】
注出口の先端が、細口部となっていることを特徴とする請求項１〜６のいずれかに記載の注出キャップ。
【発明の詳細な説明】
【技術分野】
【０００１】
本発明は、容器のキャップ、または中栓の注出筒の形状に関するものである。
【背景技術】
【０００２】
醤油などの食用液を収納する容器の口筒部に装着するキャップ本体と、開閉蓋とからなる合成樹脂製のキャップであって、注出口先端を細幅とし、内容液を細幅で注出するようにしたキャップは、従来より知られている（例えば、特許文献１、図２参照）。
【特許文献１】実開昭５９−１８１０５６号公報
【発明の開示】
【発明が解決しようとする課題】
【０００３】
しかしながら、特許文献１の従来のキャップでは、内容液を細幅で注出する場合に、注出口から内容液を細幅で注出しても、内容液が注出筒内周を流れる間に広がり、先端部から注出される内容液は、ある程度幅広になってしまうという問題があった。
【０００４】
本発明は、上記の問題を解決することを課題とし、注出口から内容液を細幅で注出する際に、内容液を注出筒の先端から細幅に安定して注出することができる注出筒を具えたキャップ、または中栓を提供することを目的とする。
【課題を解決するための手段】
【０００５】
本発明は、上記の課題を解決するため、注出キャップとして、注出口を設けた底壁と、底壁の周縁に立設された注出筒と、注出筒内周に挿入される密封リングを設けた上蓋とを具備した注出キャップにおいて、注出筒の内周の上蓋開閉時に密封リングと干渉しない注出方向上端部に、内容液の流れを案内する少なくとも二つの案内突部が設けられていることを特徴とする構成を採用する。
【０００６】
案内突部の実施例として、少なくとも二つの案内突部が、注出方向に対して先端に向かって距離が近づくハの字状に形成されていることを特徴とする構成、または、少なくとも二つの案内突部の外側に、該案内突部に平行に形成された二つの案内突部が配設されていることを特徴とする構成を採用する。
【０００７】
注出筒の別実施例として、注出筒の内周の注出方向に、注出キャップの注出口の幅を隔てて少なくとも二つの案内リブが上蓋開閉時に密封リングと干渉しないように閉蓋時に密封リングの下端より下方位置に配設されていることを特徴とする構成を採用する。
【０００８】
注出筒の他の実施例として、少なくとも二つの案内突部の間の注出筒内周の注出方向上端部に、左右から中央に向かい傾斜するように凹設された案内凹部が形成されていることを特徴とする構成、または、少なくとも二つの案内突部の間の注出筒内周の注出方向上端縁に、案内切欠部が形成されていることを特徴とする構成を採用する。
【０００９】
注出口の実施例として、注出口の先端が、細口部となっていることを特徴とする構成を採用する。
【発明の効果】
【００１０】
注出口を設けた注出筒を具備した注出キャップにおいて、注出筒の注出方向内周に内容液の流れを案内する案内突部を設けたので、注出口から流出した内容液を、注出筒の先端から細幅に安定して注出することができるようになった。
【発明を実施するための最良の形態】
【００１１】
次に、本発明の注出キャップについて、実施例をあげ、図面を参照して説明する。
【実施例１】
【００１２】
図１において、Ａは容器の口筒部に打栓されるキャップ本体、Ｂはキャップ本体ＡにヒンジＣを介して一体成形された上蓋である。
【００１３】
キャップ本体Ａは、図１、２に示すように、底壁１と、底壁１の周縁に立設される注出筒２と、注出筒２外周下端に連設される上壁３と、上壁３の上面に立設される蓋係合筒４と、上壁３の周縁に垂設され内周が容器の口筒部に装着される外筒５とからなっている。
外筒５の外周上部の所定の位置には、ヒンジＣが連設されている。
【００１４】
底壁１には、注出方向に細口部６ａが形成された注出口６が開口されている。
底壁１には、弱化部を介して除去部Ｓが形成され、除去部Ｓのヒンジ側に立設されたプルリングＰを引張り上げて弱化部を切断し、除去部Ｓを取り除くことにより、注出方向に細口部６ａを具えた注出口６が開孔される。
【００１５】
注出筒２内周の注出方向の上端部には、二つの案内突部７が配設されている。
案内突部７は、注出筒２内周の注出方向上端部に、後述する上蓋の密封リングの開閉の妨げにならない位置に配設され、二つの案内突部７は、注出方向に対して先端に向かい距離が近づくハの字状に形成されている。
【００１６】
上蓋Ｂは、頂壁１０と、外筒１１と、キャップ本体Ａの注出筒２の内周に挿入される密封リング１２とからなっている。
外筒１１の内周端には、キャップ本体Ａの蓋係合筒４外周と係合し閉蓋する係合部１３が設けられており、外周端の所定の位置には、ヒンジＣが連設されている。
【００１７】
次に、本実施例の注出キャップの作用効果について説明する。
内容液を使用する際には、容器を注出方向に傾けると、容器内の内容液は、注出口６の細口部６ａから幅細に注出され、注出筒２の内周を流れ、注出筒２の先端部から外に注出される。
【００１８】
従来の注出キャップでは、注出口６の細口部６ａから幅細に注出した内容液が注出筒２内周を流れる間に広がり、先端部から注出される内容液は、幅広になっていた。
【００１９】
本実施例の注出キャップは、注出筒２の先端部にハの字状に形成される二つの案内突部７が形成されているので、図３に示すように、注出筒２内周を広がって流れる内容液が、二つの案内突部７の間に流れ、二つの案内突部７の間で先端に向い幅細に案内され、内容液を注出筒２の先端部から幅細に注出することができる。
【００２０】
上記実施形例では、注出筒２の先端部に案内突部７を二つ、ハの字状に形成したが、別実施例として、図４に示すように、ハの字状の二つの案内突部７の外側にある程度の間隔をおいて平行に案内突部７ａを複数配設するようにしてもよい。
案内突部７ａを配設した場合、内容液を注出する際、容器の傾き具合により、注出筒２内周を広がって流れる内容液を案内突部７の間で案内させ、幅細に注出させるか、さらに容器を傾けて、案内突部７を乗り越えた内容液を案内突部７ａの間で案内させ、ある程度幅広に注出させるかを選択して注出させることができる。
【００２１】
また、上記実施例では、案内突部７を二つ、ハの字状に形成したが、図５（ａ）、（ｂ）に示すように、注出筒２の先端部に形成する案内突部７、さらには、案内突部７ａを注出方向に対して平行に配設し、内容液を案内させるようにしてもよい。
【実施例２】
【００２２】
次に、第１実施例のキャップ本体の注出筒の形状を変形した第２実施例について、説明する。
本実施例の第１実施例と同一の構成部分には、同一の符号を付して図示して詳しい説明を省略し、相違点を中心に説明する。
【００２３】
図６、７において、Ａはキャップ本体、Ｂは上蓋、Ｃはヒンジである。
【００２４】
キャップ本体Ａの注出筒２内周の注出方向には、二つの案内リブ１５が配設されている。
案内リブ１５は、上端が、上蓋Ｂ閉蓋時に密封リング１２の下端に当接しない高さで形成され、二つの案内リブ１５の間は、底壁１の注出口６の細口部６ａの幅より僅かに幅広に配設されている。
【００２５】
次に、本実施例の注出キャップの作用効果について説明する。
注出筒２内周に、二つの案内リブ１５が形成されているので、内容液の注出の際、容器の傾きが強すぎても、注出口６の細口部６ａから幅細に注出した内容液が、注出筒２の案内リブ１５の間で案内されて広がることが抑えられ、幅を安定して流すことができ、内容液を注出筒２の先端部から幅細に注出することができる。
また、案内リブ１５が上蓋Ｂの密封リング１２と当接しないので、上蓋Ｂ閉蓋の際に妨げにならない。
【００２６】
さらに、図７に示すように、注出筒２の先端に、実施例１と同様の二つの案内突部７を配設すると、内容液の注出の際、内容液を注出筒２の先端部から、幅細に安定して注出することができる。
【実施例３】
【００２７】
次に、第１実施例のキャップ本体の注出筒の形状を変形した第３実施例について、説明する。
本実施例の第１実施例と同一の構成部分には、同一の符号を付して図示して詳しい説明を省略し、相違点を中心に説明する。
【００２８】
図８（ａ）において、Ａはキャップ本体、Ｂは上蓋、Ｃはヒンジである。
【００２９】
注出筒２内周の注出方向上端部には、ハの字状の二つの案内突部７と、二つの案内突部７の間に、左右から中央２０ａに向かい傾斜するように凹設された案内凹部２０が形成されている。
【００３０】
次に、本実施例の注出キャップの作用効果について説明する。
注出筒２内周の上端部に、案内凹部２０が形成されているので、内容液の注出の際、注出筒２内周を広がって流れる内容液が、二つの案内突部７で広がった下端部の間に流れ、二つの案内突部７の間で、先端に向い幅細に案内されるとともに、案内凹部２０の傾斜により中央２０ａに集められ、内容液を注出筒２の先端部から、より幅細に注出することができる。
【００３１】
また、図８（ｂ）に示すように、二つの案内突部７の注出筒２上端縁に、中央が凹んだ案内切欠部２１を形成するようにしてもよい。
【００３２】
上記各実施例では、キャップの形態をヒンジキャップとしたが、本発明はキャップの注出部に関する発明であり、別にヒンジを使用せず、キャップ本体に別体の開閉蓋を直接装着するキャップや、キャップ本体の係合筒と開閉蓋の側壁に互いに螺合するねじを配し、ねじ式の開閉キャップなどの形態としてもよい。
キャップの開閉方法に関するキャップ自体の形状は、上記実施形態の形態に限定されない。
【００３３】
前記各実施例において、注出筒の上端縁を水平としたが、注出方向側を頂点として、端縁を傾斜させるようにしてもよい。
【００３４】
前記各実施例では、対になるように二個、または四個の案内突部を設けたが、三個の案内突部、さらには、五個の案内突部でもよく、実施例に限定されない。
【産業上の利用可能性】
【００３５】
キャップ本体の注出筒に内容液を案内する案内突部を設けたので、注出の際に、案内突部を介して内容液の流れを案内し、注出筒先端から内容液を幅細に注出することができるので、各種の注出キャップの注出筒として広く利用できる。
【図面の簡単な説明】
【００３６】
【図１】本発明の第１実施例の注出キャップの断面立面図である。
【図２】開蓋時の注出キャップの斜視図である。
【図３】注出キャップの内容液注出時の説明図である。
【図４】別実施例の注出キャップの説明図である。
【図５】別実施例の注出キャップの説明図で、（ａ）は案内突部が二つ、（ｂ）は案内突部が四つのときの斜視図である。
【図６】本発明の第２実施例の注出キャップの説明図である。
【図７】別実施例の注出キャップの説明図で、（ａ）閉蓋時の断面立面図、（ｂ）は開蓋時の斜視図である。
【図８】本発明の第３実施例の注出キャップの説明図で、（ａ）は斜視図、（ｂ）は別実施例の斜視図である。
【符号の説明】
【００３７】
Ａ        キャップ本体
Ｂ        上蓋
Ｃ        ヒンジ
Ｓ        除去部
Ｐ        プルリング
１        底壁
２        注出筒
３        上壁
４        蓋係合筒
５、１１  外筒
６        注出口
６ａ      細口部
７、７ａ  案内突部
１０      頂壁
１１      外筒
１２      密封リング
１３      係合部
１５      案内リブ
２０      案内凹部
２０ａ    中央
２１      案内切欠部
【図１】
0005191703.tif 000002
【図２】
0005191703.tif 000003
【図３】
0005191703.tif 000004
【図４】
0005191703.tif 000005
【図５】
0005191703.tif 000006
【図６】
0005191703.tif 000007
【図７】
0005191703.tif 000008
【図８】
0005191703.tif 000009